(57)【要約】【課題】例えば電池を収容したブリスタパックの輸送時、保管時に、台紙の折れ・曲がりやブリスタカバーの擦れが生じないようにする。【解決手段】ブリスタパック収容のための収容箱に挿入される仕切りが、二つの突出部の間にブリスタパックを保持するための凹部が設けられ、この凹部には、仕切り組み立て後にブリスタパックを差し込むための連続的なスリットが互いに平行に設けられた構成とされている。このスリットは、ブリスタパックの厚さ以上の間隔を有するように設けられており、仕切りを収容箱に挿入した際に、凹部底面と収容箱底面の空間の高さが、収容したいブリスタパックの収容部の底面から台紙下端までの距離よりも大きくなるように構成する。【選択図】図４
2008127024.tif 000002
【特許請求の範囲】
【請求項１】
台紙と、物品の収容部となるブリスタカバーとを備えるブリスタパックを、同一の向きに整列した状態で収容箱に収容させる仕切りが挿入された収容箱であって、
上記仕切りは、
両端に第１の突出部および第２の突出部を有する凹部と、
上記第１の突出部から上記第２の突出部まで連続的に形成され、上記ブリスタパックの厚さより大きい間隔で平行に設けられた複数のスリットと
を有し、
上記仕切りを上記収容箱に挿入した際、上記凹部の底面と、上記収容箱の底面との間に空間が設けられるようにしたことを特徴とする収容箱。
【請求項２】
上記仕切りは、複数の上記スリットが略矩形状の基材の一辺と略平行に設けられ、上記基材が上記スリットと略垂直方向に複数回折り曲げられて断面略凹字状となるように構成されたことを特徴とする請求項１に記載の収容箱。
【請求項３】
上記凹部の幅は、上記ブリスタパックの上記収容部の幅よりも大きく、上記ブリスタパックの上記台紙の幅よりも小さいことを特徴とする請求項１に記載の収容箱。
【請求項４】
上記仕切りの底部に、折り返しを設けて作製した上記仕切りの嵩上げ部が形成されたことを特徴とする上記請求項１に記載の収容箱。
【請求項５】
上記嵩上げ部は、上記仕切りと連続した延長部に折り返しを設けることにより形成されたことを特徴とする請求項４に記載の収容箱。
【請求項６】
上記嵩上げ部は、上記仕切りの下に折り返しを設けた別部品を挿入することにより形成されたことを特徴とする請求項４に記載の収容箱。
【発明の詳細な説明】
【技術分野】
【０００１】
この発明は、例えば複数の個装パッケージを梱包する収容箱に関し、特に電池を包装したブリスタパックの収納に用いて好適な仕切りを挿入した収容箱に関する。
【背景技術】
【０００２】
従来、電池を商品として店頭に陳列する際は種々の包装形態が用いられており、中でもポリエチレンテレフタレート（ＰＥＴ）、ポリスチレン（ＰＳ）に代表される樹脂材料からなる透明のブリスタカバーに単数または複数の電池を収容し、紙または樹脂等からなる台紙と接着して包装した、ブリスタパックと呼ばれる個装パッケージが広く用いられている。
【０００３】
このようなブリスタパックの集合包装においては、輸送時および保管時に収容箱内に無駄な空間が生じないよう、できるだけ多くのブリスタパックを収容箱に収容する手法が用いられてきた。例えば、ブリスタパックをそのまま収容箱内に収容した場合、ブリスタパックを保持する手段がないため、輸送時あるいは落下時にブリスタパックが損傷することは明らかであり、ダンボールあるいはコートボール紙等からなる仕切りを用いて空間を設けるような方法が多く用いられている。
【０００４】
例えば図１Ａないし図１Ｃに示すように、ブリスタカバー１ｂに電池２を収容し、台紙１ａに接着したブリスタパック１のそれぞれは、ダンボール板紙等を規定寸法に型抜きし、所定の箱形状に組み立てた収容箱４内で、参照符号３で示される格子状の仕切りによって仕切られた空間に収容されて輸送、保管されていた。
【０００５】
ところが、このような仕切り３を用いた場合、輸送時の振動によりブリスタパック１のブリスタカバー１ｂ表面に傷が生じ、商品性が損なわれるという問題が生じる。これは、図２Ａおよび図２Ｂに示すように、格子状の仕切り３を用いた場合、仕切り３により設けられた各空間にブリスタパック１がそのまま収容されるため、ブリスタパック１が固定されず、輸送時の振動によりブリスタパック１と仕切り３との間に摩擦が生じるためである。また、台紙１ａが収容箱４の底面に接しているため、台紙１ａの下端の折れや曲がりも生じやすい。なお、図２Ａは収容の様子を示す上面図であり、図２Ｂは、図２Ａにおいてａ−ａ´で示される部分の横断面図である。
【０００６】
また、図３に示されるように、格子状の仕切り３は部品点数が多く、さらに手作業での組み立てを必要とするため、コストが高く、煩雑な工程が必要となってしまう。また、台紙のみでブリスタパック１の質量を支える構造であるため、衝撃が加わった場合に台紙１ａの折れ、曲がりがさらに発生し易くなり、商品性が著しく損なわれるという欠点も有している。
【０００７】
さらに、ニッケル水素電池等の蓄電池においては、充電量によっては輸送保管時に自己放電による蓄熱等の問題が発生することから、ブリスタパック１を収容箱４に収容する際には各ブリスタパック間に一定の空間を設ける必要があることが知られている。ところが、格子状の仕切り３を用いた場合ブリスタパック１が固定されないため、ブリスタパック１同士が仕切り３を介して近接してしまうおそれがある。
【０００８】
そこで、以下の特許文献１ないし特許文献３に示すような仕切りを用いることが提案されている。
【０００９】
【特許文献１】実開平４−１９４１２号公報
【特許文献２】特公平７−１０６９４号公報
【特許文献３】特開２００２−３２６６２３号公報
【００１０】
上述の特許文献１ないし特許文献３では、仕切りにスリットを設け、スリットにブリスタパックの台紙下端部もしくは上端部を差し込むようにしたものである。このような仕切りにおいて、ブリスタパックの厚みより大きい間隔を有するようにスリットを設けることにより、収容箱内でブリスタパックがブリスタパック整列方向に移動するのを抑制し、ブリスタパックと仕切りとの擦れを防止することができる。
【発明の開示】
【発明が解決しようとする課題】
【００１１】
しかしながら、特許文献１ないし特許文献３では、いずれも台紙の下端部もしくは上端部をスリットに差し込んでブリスタパックを固定するため、固定されていない側の端部がブリスタパックの整列方向に動きやすい。このため、ブリスタパック同士が直接接触してブリスタカバーの擦れや台紙の折れ、曲がりが生じてしまう。また、電池の収容部分同士が近接しやすいため、電池蓄熱時の安全性を十分確保できないおそれもある。
【００１２】
さらに、いずれも台紙の下端が仕切り用のケースもしくは収容箱に接触するため、特に台紙下端の折れ、曲がりが生じやすい。
【００１３】
したがって、この発明は、上記問題点を解消し、ブリスタパックの商品性、輸送保管時の安全性を十分に確保することができる収容箱を提供することを目的とする。
【課題を解決するための手段】
【００１４】
上記課題を解決するために、この発明は、台紙と、物品の収容部となるブリスタカバーとを備えるブリスタパックを、同一の向きに整列した状態で収容箱に収容させる仕切りが挿入された収容箱であって、仕切りは両端に第１の突出部および第２の突出部を有する凹部と、第１の突出部から上記第２の突出部まで連続的に形成され、ブリスタパックの厚さより大きい間隔で平行に設けられた複数のスリットとを有し、仕切りを収容箱に挿入した際、凹部の底面と収容箱の底面との間に空間が設けられるようにしたことを特徴とする収容箱である。
【００１５】
この発明では、仕切りを収容箱に挿入した際に仕切りの凹部の底面と収容箱の底面の間に空間が形成される。このような仕切りを設けた収容箱にブリスタパックを収容した際、ブリスタパックの下端部、右側部および左側部の３辺がスリットに差し込まれ、例えば電池を収容するブリスタパックの収容部が凹部の底面によって下から保持されてブリスタパックが自立する。このとき、凹部の底面と収容箱の底面との間の空間を調整することにより、凹部の底面下に突出するブリスタパックの下端部が収容箱の底面に接触しないようにすることができる。
【００１６】
また、スリット同士の間隔をブリスタパックの厚さより大きくするため、ブリスタパック同士の接触を防止するとともに、ブリスタパック同士の間に空間を保つことができる。
【発明の効果】
【００１７】
この発明によれば、ブリスタパックの台紙の折れや曲がりやブリスタカバー前面部の擦れを防止することができる。また、蓄電池用のブリスタパックを収容した場合であっても、蓄電池が近接することがないため安全性を保つことができる。
【発明を実施するための最良の形態】
【００１８】
以下、この発明の一実施形態について図面を参照しながら説明する。
【００１９】
図４は、この発明を適用した収容箱１５の一構成例を示す斜視図である。収容箱１５には、ブリスタパック１１を整列した状態で収容箱に収容させる仕切り１３が挿入されており、例えば収容箱１５の上面からブリスタパック１１および仕切り１３の出し入れを可能にしたものである。仕切り１３に設けられた複数のスリット１４には、ブリスタパック１１がそれぞれ差し込まれて保持されるようになされている。
【００２０】
仕切り１３によって保持されるブリスタパック１１は、例えば図５Ａの斜視図および図５Ｂの正面図に示すように、ポリエチレンテレフタレート（ＰＥＴ）、ポリスチレン（ＰＳ）等の樹脂材料からなる透明のブリスタカバー１１ｂに、電池１２を収容できる電池収容部１１ｃを形成し、この電池収容部１１ｃに単数または複数の電池を収容した後、紙または樹脂等からなる台紙と接着することにより得られる。
【００２１】
図６は、仕切り１３の構造の一例を示す斜視図である。また、図７は、図６に示す仕切り１３の展開図である。仕切り１３は、収容箱１５の側壁に沿うように立ち上がる側面部１３ａと、収容箱上面と略平行となるように設けられた仕切り上面１３ｂと、ブリスタパック１１を保持し、ブリスタパック１１のブリスタカバー１１ｂの側面に沿うように設けられた保持部側壁１３ｃと、ブリスタカバー１１ｂの下部を下から保持する保持部底面１３ｄとが、側面部１３ａ、仕切り上面１３ｂ、保持部側壁１３ｃ、保持部底面１３ｄ、保持部側壁１３ｃ、仕切り上面１３ｂ、側面部１３ａの順に折り曲げられて連続的に設けられることにより、二つの突出部の間にブリスタパック１１を保持するための凹部が設けられるように構成されている。また、一方の仕切り上面１３ｂから保持部底面１３ｄを経由して他方の仕切り上面１３ｂにかけた凹部には、仕切り１３の組み立て後にブリスタパック１１を差し込むための連続的なスリット１４が所望の数だけ互いに平行に設けられている。
【００２２】
図８Ａないし図８Ｃ、および図９Ａないし図９Ｃに示すように、このような構成を有する仕切り１３のスリット１４にはブリスタパック１１の上部以外の３辺が差し込まれ、さらに収容箱１５に収容されて輸送、保管がなされる。
【００２３】
このような仕切り１３は、図７の展開図において、矩形状の基材１３´の実線ｍを山折り、鎖線ｖを谷折りとし、山折り部、谷折り部のそれぞれを略直角とすることにより得られる。なお、仕切り１３では、側面部１３ａの高さｈ1が保持部側壁１３ｃの高さｈ2よりも高くなるように構成する。ブリスタパック１１をスリット１４に差し込んだ際、台紙１１ａの下部が保持部底面１３ｄを突き抜けるためであり、台紙１１ａが保持部底面１３ｄ下に突き出る長さ以上の差を設けて構成する。これにより、台紙１１ａが収容箱の底面に接触することがなくなり、台紙１１ａの折れ、曲がりを防止することができる。
【００２４】
保持部側壁１３ｃの高さｈ2は、ブリスタパック１１が安定して収容でき、ブリスタパック１１同士の接触が防止できる高さであれば特に限定はないが、ブリスタパック１１の電池収容部１１ｃの高さより小さくすることが好ましい。仕切り１３に用いる材料の無駄を省くことができるためである。
【００２５】
保持部底面１３ｄの幅ｗ1は、ブリスタパック１１の電池収容部１１ｃの幅ｗ2よりも大きく、台紙１１ａの幅ｗ3よりも小さくなるように構成する。特に、保持部底面１３ｄの幅ｗ1とブリスタパック１１の電池収容部１１ｃｗ2との差をできるだけ小さくすることが好ましい。ブリスタパック１１の安定性が高まるためである。
【００２６】
スリット１４は、ブリスタパック１１同士の接触を防止するために、スリット１４同士の間隔Ｌがブリスタパック１１の厚さｔよりも大きくなるように構成する。また、スリット１４の幅は、台紙の厚さに対して１ｍｍ以上３ｍｍ以下程度のクリアランスを有するように構成することが好ましい。スリット１４の幅と台紙１１ａの厚さとの差が小さすぎるとブリスタパック１１の収容時に差し込みにくくなるとともに台紙１１ａに擦れが生じるおそれがあり、大きすぎるとブリスタパック１１がブリスタパック１１の整列方向に移動しやすくなる。なお、スリット１４に台紙１１ａと、台紙１１ａと接着されたブリスタカバー１１ｂの一部が差し込まれる場合には、台紙１１ａとブリスタカバー１１ｂの総厚に対して上述のクリアランスを有するように構成することが好ましい。
【００２７】
また、スリット１４は、仕切り１３組み立て後において、スリット１４の両端の直線距離ｄ1が台紙１１ａの幅ｗ3より大きくなるように構成する。スリット１４の両端の直線距離ｄ1と台紙１１ａの幅ｗ3との差はできるだけ小さくすることが好ましい。ブリスタパック１１の安定性が高まるためである。また、一方の仕切り上面１３ｂに設けられたスリット１４の一端から、他方の仕切り上面１３ｂと保持部側壁１３ｃとの境界部分までの直線距離ｄ2が、台紙１１ａの幅ｗ3よりも小さくなるようにすることが好ましい。保持部底面１３ｄの幅が台紙１１ａの幅ｗ3よりも小さい場合であっても、一方の仕切り上面１３ｂに設けられたスリット１４の一端から、他方の仕切り上面１３ｂと保持部側壁１３ｃとの境界部分までの直線距離ｄ2が台紙１１ａの幅ｗ3よりも大きくなった場合、ブリスタパック１１の構成によっては台紙１１ａの一方の側部がスリット１４からはずれてブリスタパック１１の安定が損なわれてしまうおそれがあるためである。
【００２８】
なお、スリット１４は、仕切り上面１３ｂから回りこませて側面部１３ａにスリット端部を設けることも可能であるが、仕切り１３の強度低下の原因となるおそれがあるため好ましくない。
【００２９】
仕切り１３の材料としては、Ａフルート、Ｂフルート、Ｅフルート、Ｇフルート等のダンボールならびにコートボールもしくはマニラボール等の板紙を用いることができる。これらの材料は、梱包するブリスタパック１１の重量および収容箱あたりの梱包数等によってそれぞれ材料を選択すればよい。電池を収容するブリスタパックの仕切り用としては、強度および厚みの観点から、例えばＥフルートダンボールが好適に用いられる。
【００３０】
また、収容箱１５の材料としては、梱包するブリスタパック１１の重量および収容箱あたりの梱包数等によって、Ａフルート、Ｂフルート等のダンボール等を用いればよい。
【００３１】
このような構成を有する仕切り１３では、図９Ａに示す図８Ｂの上面図、および図９Ａのｂ−ｂ´で示される横断面図である図９Ｂのように、ブリスタパック１１が固定され、ブリスタパック１同士ならびにブリスタパック１と収容箱１５、仕切り１３とが接触することがなく、商品である電池１２が確認できるブリスタカバー１１ｂの正面部分が擦れて商品性が損なわれることがない。
【００３２】
また、図９Ｂおよび、図９Ａのｃ−ｃ´で示される正面図である図９Ｃのように、仕切り１３の保持部底面１３ｄと、ブリスタカバー１１ｂの電池収容部１１ｃ底面が接触してブリスタパック１１が保持されているが、この接触部分には多少の擦れは生じるおそれがあるものの、商品として店頭で陳列される際には消費者から見えにくく、商品性が損なわれる部分ではない。
【００３３】
また、スリット１４に差し込まれ、保持部底面１３ｄ下に突き出した台紙１１ａの下端が仕切り１３の側面部１３ａの下端よりも高い位置となるように仕切り１３が構成されているため、ブリスタパック１１の下部が収容箱１５の底面に接触することがない。このため、収容箱１５の輸送時あるいは落下時の衝撃が台紙１１ａのみに伝わることがなく、仕切り１３が衝撃を吸収し、台紙１１ａの折れ、曲がりの発生が防止される。なお、図９Ｃの斜線部は、仕切り１３で囲まれ、外部に露出しない空間を示している。
【００３４】
さらに、ブリスタパック１同士が適度な間隔を保持できるため、電池１２が近接することない。このため、蓄電池を収容したブリスタパックを収容する場合であっても高い安全性を有する。
【００３５】
なお、仕切り１３は上述のような構成に限られたものではなく、例えば図１０Ａないし図１２Ｃに示すような構成の仕切り２３としてもよい。図１０Ａおよび図１０Ｂは、仕切り２３にブリスタパック１１を収容する様子であり、図１１は仕切り２３の展開図であり、図１２Ａは、図１０Ｂの上面図、図１２Ｂは図１２Ａのｄ−ｄ´で示される横断面図、図１２Ｃは図１２Ａのｅ−ｅ´で示される正面図である。また、図４ないし図９の構成と同一または対応する部分には同一の符号を付す。
【００３６】
このような仕切り２３では、収容箱１５内の空間をさらに確保するために、仕切り２３底部に折り返しを設けて嵩上げ部を形成したものである。このような仕切り２３と嵩上げ部とは、図１１で示されるように、基材２３´の実線部を山折り、鎖線部を谷折りとすることにより連続的に形成される。なお、折り返し部２３ａの幅を調整することにより、この空間を自由に設定することができる。また、例えばタブ２３ａおよび差し込み口２３ｂを設け、タブ２３ａを差し込み口２３ｂに差し込んで固定することにより、仕切り２３の安定性を高めることができる。
【００３７】
また、図１３Ａないし図１３Ｂに示すように、嵩上げ部を仕切り２３とは別部品としてもよい。この場合、図１３Ａないし図１３Ｂでは断面ロ字状となるように折り返しを設けて形成しているが、強度等に問題がなければ、底面もしくは上面の一方を省いてもよい。
【実施例】
【００３８】
以下、実施例によりこの発明を具体的に説明するが、この発明はこれらの実施例のみに限定されるものではない。以下の実施例では、仕切りの形状を変化させてブリスタパックを収容し、台紙の折れおよびブリスタカバーの擦れを確認した。
【００３９】
＜実施例１＞
［ブリスタパックおよび収容箱の作製］
ブリスタカバーの材料として、厚さ０．３ｍｍの透明Ａ−ＰＥＴを、台紙の材料として斤量４５０ｇ／ｍ2のコートボールを用い、質量約３０ｇの単３形ニッケル水素蓄電池４本をブリスタカバーに収容した後、互いに接着してブリスタパックとした。また、収容箱の材料としてはＡフルートダンボール（厚さ約５．０ｍｍ）を用い、型抜き、組み立て後、底面部を固定してＡ式の収容箱を作製した。
【００４０】
［仕切りの作製］
仕切りの材料としてはＥフルートダンボール（厚さ約１．５ｍｍ）を用い、図７に示すように型抜きし、スリットを平行に１０本型抜きした後、組み立てて図４に示す構成とした。仕切り組み立て後の縦横寸法は、収容箱に丁度収容できる大きさとした。
【００４１】
［ブリスタパックの収容］
上述のようにして作製した収容箱に仕切りを収容し、仕切りのスリットにブリスタパック１０パックをそれぞれ収容し、収容箱の上部蓋を固定した。
【００４２】
＜実施例２＞
仕切りとして、図１１に示すように型抜きし、スリットを平行に１０本型抜きした後、組み立てて図１０に示す構成とした以外は実施例１と同様にしてブリスタパック１０パックが収容された収容箱を作製した。
【００４３】
＜比較例１＞
仕切りとして、図３に示す部品を型抜きし、組み立てて図１に示す構成とした以外は実施例１と同様にしてブリスタパック１０パックが収容された収容箱を作製した。
【００４４】
これらの収容箱について、以下のようにして（ａ）落下試験、（ｂ）ｓｉｎ波振動試験のそれぞれを行った。試験は、それぞれ１０パックのサンプル数で行った。
【００４５】
（ａ）落下試験
各実施例および比較例の収容箱を、７５ｃｍの高さから収容箱の底面部が水平のまま落下させ、落下後に台紙に折れが発生したブリスタパックの数を確認した。
【００４６】
（ｂ）ｓｉｎ波振動試験
各実施例および比較例の収容箱を、振動数５〜５０Ｈｚ、加速度０．７６Ｇ、掃引速度９Ｈｚ／分の条件下に載置して２０分間のｓｉｎ波振動試験を行い、ブリスタカバー前面部に擦れが発生したブリスタパックの数を確認した。
【００４７】
以下の表１に試験の結果を示す。
【表１】
2008127024.tif 000003
【００４８】
表１から分かるように、本願の構成を用いた仕切りを用いた実施例１および実施例２では、台紙の折れおよびブリスタカバー前面部の擦れを防止することができる。
【００４９】
一方、従来の格子状の仕切りを用いた比較例１では、台紙の折れおよびブリスタカバーの擦れが多く発生した。これは、比較例１のブリスタパックは収容箱に自立する構成であるため、試験の衝撃が台紙下端部に集中し、台紙下端部に折れが発生するためである。また、格子状の仕切りで区切られただけの空間に、固定されることなくブリスタパックを収容したため、仕切りとブリスタカバーとが接触し、擦れが発生した。
【００５０】
上記結果から、本願の構成を有する仕切りを用いた場合、従来の仕切りと比較してブリスタパックの損傷を防止することができる。
【００５１】
以上、この発明の実施形態について具体的に説明したが、この発明は、上述の実施形態に限定されるものではなく、この発明の技術的思想に基づく各種の変形が可能である。
【００５２】
例えば、上述の実施形態において用いたブリスタパックは、一次電池や円筒形以外の形状を有する電池、また、電池以外の収容物を収容するようにしてもよい。
【図面の簡単な説明】
【００５３】
【図１】従来の収容箱を用いたブリスタパックの収容の様子を示す模式図である。
【図２】従来の収容箱を用いたブリスタパックの収容の様子を示す上面図および横断面図である。
【図３】従来の仕切りの分解図である。
【図４】この発明を適用した収容箱の構成の一例を示す模式図である。
【図５】電池を収容したブリスタパックの構成の一例を示す模式図である。
【図６】この発明を適用した仕切りの一構成を示す模式図である。
【図７】この発明を適用した仕切りの一構成を示す展開図である。
【図８】この発明を適用した収容箱を用いたブリスタパックの収容の様子を示す模式図である。
【図９】この発明を適用したブリスタパックの収容の様子を示す上面図、横断面図および正面図である。
【図１０】この発明を適用した仕切りの他の構成を示す模式図である。
【図１１】この発明を適用した仕切りの他の構成を示す展開図である。
【図１２】この発明を適用した他の構成の仕切りを用いたブリスタパックの収容の様子を示す上面図、横断面図および正面図である。
【図１３】この発明を適用した仕切りの他の構成を示す模式図である。
【符号の説明】
【００５４】
１，１１・・・ブリスタパック
１ａ，１１ａ・・・台紙
１ｂ，１１ｂ・・・ブリスタカバー
２，１２・・・電池
３，１３，２３・・・仕切り
４，１５・・・収容箱
１１ｃ・・・電池収容部
１３ａ・・・側面部
１３ｂ・・・仕切り上面
１３ｃ・・・保持部側壁
１３ｄ・・・保持部底面
１３´・・・基材
１４，２４・・・スリット
２３ａ・・・タブ
２３ｂ・・・差し込み口
【図１】
2008127024.tif 000004
【図２】
2008127024.tif 000005
【図３】
2008127024.tif 000006
【図４】
2008127024.tif 000007
【図５】
2008127024.tif 000008
【図６】
2008127024.tif 000009
【図７】
2008127024.tif 000010
【図８】
2008127024.tif 000011
【図９】
2008127024.tif 000012
【図１０】
2008127024.tif 000013
【図１１】
2008127024.tif 000014
【図１２】
2008127024.tif 000015
【図１３】
2008127024.tif 000016